(57)【要約】【課題】公衆モード及び自営モードで選択的に動作可能な移動通信端末において、自営基地局が接続制御可能な公衆固定通信網の回線に空きがない場合にも、移動通信端末の発着信を可能にする。【解決手段】管理サーバ４は、移動通信端末５−２に対する着信情報を受信すると（手順Ｓ１）、経路情報記憶部４ａを参照し、着信情報を固定通信網１経由で主装置３へ送信する（手順Ｓ２）。主装置３は、固定通信網１との間の回線に空きがないときは、管理サーバ４及び移動通信端末５−２に対し、移動通信端末５−２の着信経路を移動通信網２に切替えるようにメッセージを送る（手順Ｓ３、４）。【選択図】    図４
2007274647.tif 000002
【特許請求の範囲】
【請求項１】
公衆固定通信網に有線接続される自営基地局と、公衆移動通信網に対する位置登録、及び前記自営基地局を介した前記公衆固定通信網に対する位置登録が可能な移動通信端末とを備えた通信システムにおける位置登録制御方法であって、
前記移動通信端末に対する着信があったとき、前記自営基地局が接続可能か否かを調べ、可能な場合は前記固定通信網経由で着信し、可能でない場合は前記移動通信網経由で着信するように、前記移動通信端末の位置登録先を設定することを特徴とする位置登録制御方法。
【請求項２】
請求項１記載の位置登録制御方法において、
前記公衆固定通信網に位置登録している移動通信端末に対する前記固定通信網経由の着信があったとき、前記自営基地局が接続可能か否かを調べ、可能でない場合は、前記移動通信端末の前記公衆移動通信網に対する位置登録を可能にするため、前記移動通信端末の前記公衆固定通信網に対する位置登録を解除することを特徴とする位置登録制御方法。
【請求項３】
請求項１記載の位置登録制御方法において、
前記公衆移動通信網に位置登録している移動通信端末に対し、前記公衆移動通信網経由の着信があったとき、前記自営基地局が接続可能か否かを調べ、可能な場合は、前記移動通信端末の前記公衆固定通信網に対する位置登録を可能にするため、前記移動通信端末の前記公衆移動通信網に対する位置登録を解除することを特徴とする位置登録制御方法。
【請求項４】
請求項３記載の位置登録制御方法において、
前記移動通信端末が前記公衆移動通信網に接続中であり、他の移動通信端末が前記公衆固定通信網に接続中の状態から、前記他の移動通信端末の接続が終了したとき、前記移動通信端末の接続を前記公衆固定通信網に切替えることを特徴とする位置登録制御方法。
【請求項５】
公衆固定通信網に接続されると共に、自営無線回線により移動通信端末を接続する自営基地局であって、
前記移動通信端末に対する前記公衆固定通信網経由の着信があったことを検出する手段と、該着信を前記移動通信端末に接続可能か否かを判定する手段と、接続可能でない場合、前記移動通信端末に対し、公衆移動通信網に対し位置登録することを指示する手段とを備えたことを特徴とする自営基地局。
【請求項６】
請求項５記載の自営基地局において、
前記公衆移動通信網に位置登録されている前記移動通信端末から送信された公衆固定通信網に対する切替要求を検出する手段と、前記移動通信端末を前記公衆固定通信網に位置登録可能か否かを判定する手段と、位置登録可能な場合、前記移動通信端末を前記公衆固定通信網に位置登録する手段とを備えたことを特徴とする自営基地局。
【発明の詳細な説明】
【技術分野】
【０００１】
本発明は、公衆固定通信網に有線接続される自営基地局と、公衆移動通信網に対する位置登録、及び前記自営基地局を介した前記公衆固定通信網に対する位置登録が選択的に可能な複数の移動通信端末とを備えた通信システムにおける位置登録制御方法及び自営基地局に関し、詳細には、上記自営基地局が並行して接続制御可能な前記公衆固定通信網の回線数よりも前記公衆固定通信網経由の発着信の数が多い場合であっても、前記移動通信端末の発着信を可能にする通信システムにおける位置登録制御方法及び自営基地局に関する。
【背景技術】
【０００２】
公衆固定通信網と公衆移動通信網とを融合させた通信システムとして、公衆モード及び自営モードで動作可能な移動通信端末、即ち公衆基地局を介して公衆移動通信網に位置登録することで公衆移動通信網を利用でき、公衆固定通信網に接続された自営基地局（家庭や事業所などに設置）を介して公衆固定通信網に位置登録することで公衆固定通信網を利用できる移動通信端末を備えた通信システムがある（特許文献１参照）。
【０００３】
しかしながら、この通信システムでは、自営モードで動作する場合、自営モードで同時に通話可能な回線数を超える移動通信端末が自営基地局を介して公衆固定通信網に位置登録されているとき、位置登録されているにもかかわらず、発着信ができない端末が現れてしまう。例えば、公衆固定通信網の１回線分しか接続制御できない自営基地局を介して２台の移動通信端末が位置登録されており、うち１台が公衆固定通信網を利用している場合、もう１台の移動通信端末は発信も着信もできないことになる。
【特許文献１】特開平８−２３７７４２号公報
【発明の開示】
【発明が解決しようとする課題】
【０００４】
本発明は、前記従来の問題点に鑑みてなされたものであり、その目的は、公衆固定通信網に有線接続される自営基地局と、公衆移動通信網に対する位置登録、及び前記自営基地局を介した前記公衆固定通信網に対する位置登録が可能な移動通信端末とを備えた通信システムにおいて、自営モードで同時に通話可能な回線数を超える移動通信端末が自営基地局を介して公衆固定通信網に位置登録されているときでも、それらの移動通信端末の着信を可能にすることである。
【課題を解決するための手段】
【０００５】
請求項１の発明は、公衆固定通信網に有線接続される自営基地局と、公衆移動通信網に対する位置登録、及び前記自営基地局を介した前記公衆固定通信網に対する位置登録が可能な移動通信端末とを備えた通信システムにおける位置登録制御方法であって、前記移動通信端末に対する着信があったとき、前記自営基地局が接続可能か否かを調べ、可能な場合は前記固定通信網経由で着信し、可能でない場合は前記移動通信網経由で着信するように、前記移動通信端末の位置登録先を設定することを特徴とする。
請求項２の発明は、請求項１記載の位置登録制御方法において、前記公衆固定通信網に位置登録している移動通信端末に対する前記固定通信網経由の着信があったとき、前記自営基地局が接続可能か否かを調べ、可能でない場合は、前記移動通信端末の前記公衆移動通信網に対する位置登録を可能にするため、前記移動通信端末の前記公衆固定通信網に対する位置登録を解除することを特徴とする。
請求項３の発明は、請求項１記載の位置登録制御方法において、前記公衆移動通信網に位置登録している移動通信端末に対し、前記公衆移動通信網経由の着信があったとき、前記自営基地局が接続可能か否かを調べ、可能な場合は、前記移動通信端末の前記公衆固定通信網に対する位置登録を可能にするため、前記移動通信端末の前記公衆移動通信網に対する位置登録を解除することを特徴とする。
請求項４の発明は、請求項３記載の位置登録制御方法において、前記移動通信端末が前記公衆移動通信網に接続中であり、他の移動通信端末が前記公衆固定通信網に接続中の状態から、前記他の移動通信端末の接続が終了したとき、前記移動通信端末の接続を前記公衆固定通信網に切替えることを特徴とする。
請求項５の発明は、公衆固定通信網に接続されると共に、自営無線回線により移動通信端末を接続する自営基地局であって、前記移動通信端末に対する前記公衆固定通信網経由の着信があったことを検出する手段と、該着信を前記移動通信端末に接続可能か否かを判定する手段と、接続可能でない場合、前記移動通信端末に対し、公衆移動通信網に対し位置登録することを指示する手段とを備えたことを特徴とする。
請求項６の発明は、請求項５記載の自営基地局において、前記公衆移動通信網に位置登録されている前記移動通信端末から送信された公衆固定通信網に対する切替要求を検出する手段と、前記移動通信端末を前記公衆固定通信網に位置登録可能か否かを判定する手段と、位置登録可能な場合、前記移動通信端末を前記公衆固定通信網に位置登録する手段とを備えたことを特徴とする。
【発明の効果】
【０００６】
本発明によれば、公衆固定通信網に有線接続される自営基地局と、公衆移動通信網に対する位置登録、及び前記自営基地局を介した前記公衆固定通信網に対する位置登録が可能な移動通信端末とを備えた通信システムにおいて、自営モードで同時に通話可能な回線数を超える移動通信端末が自営基地局を介して公衆固定通信網に位置登録されているときでも、それらの移動通信端末の着信が可能になる。
【発明を実施するための最良の形態】
【０００７】
以下、本発明の実施形態について図面を参照して説明する。
図１は本発明の実施形態の通信システムの構成を示す図である。この通信システムは、公衆固定通信網（以下、固定通信網）1と、公衆移動通信網（以下、移動通信網）２と、固定通信網1及び移動通信網２に接続された管理サーバ４と、３台の移動通信端末機５−１〜５−３と、固定通信網1に接続された固定通信端末６とを備えている。固定通信網１と、移動通信網２とは互いに接続されており、音声信号及び各種制御信号などの送受信が可能である。移動通信網２には公衆基地局（以下、基地局）２１が接続され、固定通信網１には、自営基地局であるボタン電話システムの主装置３が接続されている。主装置３は、自営無線回線により移動通信端末５−１〜５−３と通信可能である。移動通信端末５−１〜５−３は、基地局２１を通して移動通信網２を利用することもできる。ここで、移動通信端末５−１〜５−３の各々の電話番号は固定通信網１及び移動通信網２に共通である。なお、ここでは便宜上、基地局２１を移動通信網２の外に図示した。
【０００８】
管理サーバ４は、移動通信端末５−１〜５−３の発着信経路情報（基地局２１を通して移動通信網２を経路とする／主装置３を通して固定通信網１を経路とするなど）を記憶するための経路情報記憶部４ａを備えている。
【０００９】
移動通信端末５−１〜５−３は、固定通信網１に接続された主装置３との無線通信可能範囲（以下、主装置３の圏内とも言う）１２、即ち主装置３のアンテナから放射される自営無線回線（無線ＬＡＮ、Bluetooth（登録商標）など）の電波の受信可能範囲内では、主装置３を介して固定通信網１を利用でき、基地局２１との無線通信可能範囲（以下、基地局２１の圏内とも言う）１１、即ち基地局２１のアンテナから放射される公衆無線回線の電波の受信可能範囲内では、移動通信網２を利用できる。
【００１０】
ここで、固定通信網１を利用するときは、主装置３に対し、位置登録要求を行い、それが主装置３から固定通信網１経由で管理サーバ４に通知され、経路情報記憶部４ａに記憶されると、固定通信網１を利用できるようになる。同様に、移動通信網２を利用するときは、基地局２１に対し、位置登録要求を行い、それが基地局２１から移動通信網２経由で管理サーバ４に通知され、経路情報記憶部４ａに記憶されると、移動通信網２を利用できるようになる。
【００１１】
図２に示すように、主装置３は、制御部４１と、それぞれ制御部４１に接続された固定網インタフェース部４２、無線インタフェース部４３、通話路スイッチ部４４、及び記憶部４５とを備えている。ここで、主装置３と固定通信網１とは、通信用の１回線及び制御用の１回線で接続されている。
【００１２】
制御部４１はマイクロプロセッサ等で構成されており、この主装置３全体の制御等を行う。固定網インタフェース部４２は固定通信網１に接続され、通信用回線の閉結、開放等を行う。無線インタフェース部４３は通話路スイッチ部４４から出力される音声信号、及び制御部４１から出力される各種制御信号をアンテナを介して移動通信端末５へ送信し、移動通信端末５−１〜５−３から送信され、アンテナで受信された音声信号、各種制御信号をそれぞれ通話路スイッチ部４４、制御部４１へ出力する。通話路スイッチ部４４は、固定網インタフェース部４２と、無線インタフェース部４３との間の通話路（送話及び受話の音声信号の伝送路）のスイッチングを行う。記憶部４５は、制御部４１が各種動作を行うときに使用するプログラムが記憶されたＲＯＭ、制御部４１が各種動作を行うときのワークエリアとなるＲＡＭ、各種データを記憶するためのフラッシュメモリ等からなり、ここでは便宜上、主装置３を介して固定通信網１に位置登録されている移動通信端末５−１〜５−３に関する情報を記憶するための位置登録情報記憶部４５ａと、主装置３を介して固定通信網１を使用可能な回線の有無を示す回線使用情報記憶部４５ｂとを示している。
【００１３】
図３に示すように、移動通信端末５−１〜５−３は、制御部５１と、それぞれ制御部５１に接続された基地局インタフェース部５２、主装置インタフェース部５３、スイッチ５４、通話回路部５５、操作部５６、記憶部５７、及び信号処理部５８を備えている。また、信号処理部５８には、マイクロフォン（以下、マイクと言う）５９及びスピーカ６０が接続されている。
【００１４】
制御部５１はマイクロプロセッサ等で構成されており、この移動通信端末５−１〜５−３の各々の全体の制御等を行う。基地局インタフェース部５２は、基地局２１との間で音声信号及び各種制御信号等をアンテナを介して送受信する。主装置インタフェース部５３は、主装置３との間で音声信号及び各種制御信号等をアンテナを介して送受信する。スイッチ５４は、制御部５１の制御により、基地局インタフェース部５２側と主装置インタフェース部５３側とに切替わり、基地局インタフェース部５２及び主装置インタフェース部５３を選択的に通話回路部５５及び制御部５１に接続する。通話回路部５５は、信号処理部５８を介してマイク５９及びスピーカ６０とスイッチ５４との間の音声信号伝送路（送話パス、受話パス）を形成する。操作部５６は、電話番号入力用の数字キー、電源キー、各種機能キーからなり、ユーザの指令を入力するために用いられる。記憶部５７は制御部４１が各種動作を行うときに使用するプログラムが記憶されたＲＯＭ、制御部４１が各種動作を行うときのワークエリアとなるＲＡＭ、各種データを記憶するためのフラッシュメモリ等からなる。信号処理部５８は、音声信号の増幅、符号化、復号化などを行う。マイク５９はユーザの発生した音声を音声信号（電気信号）に変換して信号処理部５８へ出力し、スピーカ６０は信号処理部５８から出力された音声信号を音声に変換して出力する。
【００１５】
以上の構成を有する通信システムについて、[１]移動通信端末５−１〜５−３の位置登録手順、[２]移動通信端末５−２が主装置３を介して固定通信網１に位置登録しているときの着信時の処理、[３]移動通信端末５−２が基地局２１を介して移動通信網１に位置登録しているときの着信時の処理を説明する。
【００１６】
[１]移動通信端末５−１〜５−３の位置登録手順
移動通信端末５−１〜５−３は、移動通信網２を利用するときは、移動通信網２に対して移動通信端末５の位置及びＩＤ等に関する登録（位置登録）を行う。基地局２１は、移動通信端末５−１〜５−３が無線通信可能範囲１１内に存在するか否かを検出するため、基地局ＩＤを含む位置登録用電波を定期的或いはランダムに送信しており、移動通信端末５−1〜５−３は位置登録用電波を受信したときに、基地局ＩＤを記憶部５７に記憶すると共に、移動通信端末５−１〜５−３の端末ＩＤを含む応答電波を基地局２１へ送信する。基地局２１は、応答電波を受信することで、移動通信端末５−１〜５−３が通信可能範囲１１内に存在することを検出すると、それを管理サーバ４に通知する。管理サーバ４がこの通知の受信に基づいて、移動通信端末５−１〜５−３が移動通信網２に位置登録されたことを経路情報記憶部４ａに記憶することで、移動通信端末５−１〜５−３は移動通信網２を利用できるようになる。
【００１７】
また、移動通信端末５−１〜５−３は、主装置３を介して固定通信網１を利用するときは、固定通信網１に対して移動通信端末５−１〜５−３の位置及びＩＤ等に関する登録（位置登録）を行う。固定通信網１に接続された主装置３は、移動通信端末５−１〜５−３が通信可能範囲１２内に存在するか否かを検出するため、主装置ＩＤを含む位置登録用電波を定期的或いはランダムに送信しており、移動通信端末５−１〜５−３は位置登録用電波を受信したときに、主装置ＩＤを記憶部５７に記憶すると共に、移動通信端末５−１〜５−３の端末ＩＤを含む応答電波を主装置３へ送信する。主装置３は、応答電波を受信することで、移動通信端末５−１〜５−３が無線通信可能範囲１２内に存在することを検出すると、その端末ＩＤを位置登録情報記憶部４５ａに記憶すると共に、固定通信網１を通して、管理サーバ４に位置登録情報を送信する。管理サーバ４がこの位置登録情報を受信し、経路情報記憶部４ａに記憶することで、移動通信端末５−１〜５−３は固定通信網１を利用できるようになる。
【００１８】
本実施形態では、基地局２１の圏内１１は主装置３の圏内１２を含んでいるため、固定通信網１の利用可能範囲では移動通信網２の利用も可能となる。
【００１９】
移動通信端末５−１〜５−３は、制御部５１の制御により、スイッチ５４を所定のタイミングで切替え、基地局インタフェース部５２及び主装置インタフェース部５３を所定のタイミングで動作させる。基地局インタフェース部５２は基地局２１からの無線電波に含まれている情報を取り出し、主装置インタフェース部５３は主装置３からの無線電波に含まれている情報を取り出すので、移動通信端末５−１〜５−３が基地局２１の圏内１１に存在するときは移動通信網２に位置登録され、移動通信端末５−１〜５−３が主装置３の圏内１２に存在するときは固定通信網１に位置登録される。
【００２０】
[２]移動通信端末５−２が主装置３を介して固定通信網１に位置登録しているときの着信時の処理
前述したように、移動通信端末５−１〜５−３は、固定通信網１及び移動通信網２に択一的に位置登録可能である。ここでは、移動通信端末５−２が固定通信網１に位置登録され、待機中であり、かつ移動通信端末５−１が固定通信網１に接続され、通信中であるときに、移動通信端末５−２に着信があった場合の動作について、図４を用いて説明する。
【００２１】
固定通信端末６が移動通信端末５−２の電話番号に対して発信すると、管理サーバ４に着信情報（移動通信端末５−２の電話番号）が送信される（手順Ｓ１）。管理サーバ４は、経路情報記憶部４ａを参照することで、移動通信端末５−２の着信経路が固定通信網１であると判断し、着信情報を固定通信網１経由で主装置３へ送信する（手順Ｓ２）。主装置３は、回線使用情報記憶部４５ｂにアクセスし、主装置３を介して固定通信網１を使用可能か否かを調べる。ここでは、移動通信端末５−１が固定通信網１を使用中であるため、管理サーバ４に対し、移動通信端末５−２の固定通信網１に対する位置登録解除を指示する位置登録解除メッセージを送信すると共に（手順Ｓ３）、移動通信端末５−２に対し、位置登録を移動通信網２に切り替えることを指示する切替メッセージを送信する（手順Ｓ４）。
【００２２】
位置登録解除メッセージを受信した管理サーバ４は、経路情報記憶部４ａにおける移動通信端末５−２の経路情報をクリアする。そして、切替メッセージを受信した移動通信端末５−２から公衆移動通信網２へ位置登録要求が送信され（手順Ｓ５）、それが管理サーバ４へ通知されると、管理サーバ４は経路情報記憶部４ａにおける移動通信端末５−２の経路情報を移動通信網２に書換え、移動通信端末５−２に対する発信の着信情報を移動電話網２経由で移動通信端末５−２へ送信する（手順Ｓ６）。
【００２３】
ここで、主装置３は、回線使用情報記憶部４５ｂにアクセスし、主装置３を介して固定通信網１を使用可能か否かを調べた結果、使用可能であった場合、即ち移動通信端末５−１又は５−３が主装置３を介して固定通信網１に接続中でなかった場合は、着信情報をそのまま移動通信端末５−２へ送信する。また、以上の説明では、主装置３が位置登録解除メッセージを送信しているが、移動通信端末５−２が送信するように構成してもよい。
【００２４】
以上、着信時の動作について説明した。発信時は、移動通信端末５−２が主装置３へ発信メッセージを送信し、主装置３が、回線使用情報記憶部４５ｂにアクセスし、主装置３を介して固定通信網１を使用することが可能か否かを調べる。それ以降の処理は手順Ｓ３〜Ｓ５と同様であり、最後は発信処理となる。
【００２５】
[３]移動通信端末５−２が基地局２１を介して移動通信網１に位置登録しているときの着信時の処理
まず、移動通信端末５−２が移動通信網２に位置登録し、着信時に固定通信網１に切替えたときの処理手順について説明する。
固定通信端末６が移動通信端末５−２の電話番号に対して発信すると、図５に示すように、管理サーバ４に着信情報が送信される（手順Ｓ１１）。管理サーバ４は、経路情報記憶部４ａを参照することで、移動通信端末５−２の着信経路が移動通信網２であると判断し、着信情報を移動通信網２経由で移動通信端末５−２へ送信する（手順Ｓ１２）。着信情報を受信した移動通信端末５−２は、主装置３に対し、着信経路を固定通信網１に切替えることを要求する切替要求メッセージを送信する（手順Ｓ１３）。
【００２６】
切替要求メッセージを受信した主装置３は、回線使用情報記憶部４５ｂにアクセスし、移動通信端末５−２が主装置３を介して固定通信網１を使用可能か否かを調べる。ここでは、使用可能であったものとする。主装置３は、管理サーバ４に対し、移動通信端末５−２の移動通信網２に対する位置登録の解除及び固定通信網１に対する位置登録を要求するメッセージを送信すると共に（手順Ｓ１４）、移動通信端末５−２に対し、着信経路の切替要求を了承したことを通知する（手順Ｓ１５）。
【００２７】
主装置３から移動通信端末５−２の移動通信網２に対する位置登録の解除及び固定通信網１に対する位置登録を要求するメッセージを受信した管理サーバ４は、経路情報記憶部４ａにおける移動通信端末５−２の経路情報を固定通信網１に書換え、移動通信端末５−２に対する発信の着信情報を主装置３へ送信し（手順Ｓ１６）、主装置３は受信した着信情報を移動通信端末５−２へ送信する（手順Ｓ１７）。手順Ｓ１５により着信経路の切替要求を了承したことを通知された移動通信端末５−２は、主装置３からの着信に応答する。
なお、以上の説明では、主装置３が位置登録解除などのメッセージを送信しているが、移動通信端末５−２が送信するように構成してもよい。また、切替要求を送信する手順（Ｓ１３）を行う代わりに、移動通信端末５−２が発信又は着信を行うときに主装置３に対し、固定通信網１に対する位置登録要求を送信し、主装置３は、固定通信網１に空きがある場合のみ位置登録を許可するように構成してもよい。さらに、主装置３は、固定通信網１に位置登録されている移動通信端末に対し、一定時間、発信又は着信がなかった場合は、その位置登録を解除することを管理サーバ４に通知するように構成してもよい。
【００２８】
次に、着信があったとき、移動通信端末５−２が移動通信網２を利用して通話し、その後固定通信網に切替えたときの処理手順について図６を用いて説明する。この図において、図５と同一の処理には図５で使用した符号（手順番号）を付した。
【００２９】
図６に示すように、移動通信端末５−２が主装置３へ切替要求メッセージを送信する手順（手順Ｓ１３）までは図５と同じである。ただし、移動通信端末５−１が固定通信網１を利用して通話中である点が異なる。主装置３は、回線使用情報記憶部４５ｂにアクセスし、移動通信端末５−１が主装置３を介して固定通信網１を利用しているため、移動通信端末５−２が主装置３を介して固定通信網１を使用することは不可能であると判断し、移動通信端末５−２に対し、着信経路の切替が不可能であること（ＮＧ）を通知する（手順Ｓ１８）。この通知を受信した移動通信端末５−２は、移動通信網２を経由した着信情報（手順Ｓ１３）に応答し、通話中となる。
移動通信端末５−２は、移動通信網２を利用して通話を行っているとき、主装置３に対し、固定通信網１に定期的或いはランダムに、登録要求メッセージを送信する。主装置３は、固定通信網１に空きがある場合のみ位置登録を許可する。ここでは、移動通信端末５−１が固定通信網１を利用して通話を行っている時の登録要求（手順Ｓ１９）は拒否され（手順Ｓ２０）、その通話が終了した後の登録要求（手順Ｓ２１）は許可される（手順Ｓ２２〜Ｓ２６）。管理サーバ４は、経路情報記憶部４ａにおける移動通信端末５−２の経路情報を固定通信網１に書換え、移動通信端末５−２が通話中の通信網を移動通信網２から固定通信網１に切替えるように、移動通信網２の基地局２１、及び主装置３に指示する。この指示に応じて、移動通信端末５−２が通話に利用している通信網が移動通信網２から固定通信網１に切り替わる。
【００３０】
以上、着信時の動作について説明した。発信時は、移動通信端末５−２が主装置３へ発信メッセージを送信し、主装置３が、回線使用情報記憶部４５ｂにアクセスし、主装置３を介して固定通信網１の使用することが可能か否かを調べる。そして、可能な場合は、図５の手順Ｓ１４及びＳ１５を実行した後に発信処理を行い、不可能な場合は、図６の手順Ｓ１８を実行した後に発信処理を行う。
【図面の簡単な説明】
【００３１】
【図１】本発明の実施形態の通信システムの構成を示す図である。
【図２】本発明の実施形態における主装置の構成を示すブロック図である。
【図３】本発明の実施形態における移動通信端末の構成を示すブロック図である。
【図４】本発明の実施形態において、移動通信端末が固定通信網に位置登録しているときの着信時の処理手順を示す図である。
【図５】本発明の実施形態において、移動通信端末が移動通信網に位置登録し、着信時に固定通信網に切替えたときの処理手順を示す図である。
【図６】本発明の実施形態において、移動通信端末が移動通信網に位置登録し、着信時に移動通信網を利用して通話し、その後固定通信網に切替えたときの処理手順を示す図である。
【符号の説明】
【００３２】
１・・・固定通信網、２・・・移動通信網、３・・・主装置、４・・・管理サーバ、４ａ・・・経路情報記憶部、５−１〜５−３・・・移動通信端末、２１・・・基地局、４５ｂ・・・回線使用情報記憶部。
【図１】
2007274647.tif 000003
【図２】
2007274647.tif 000004
【図３】
2007274647.tif 000005
【図４】
2007274647.tif 000006
【図５】
2007274647.tif 000007
【図６】
2007274647.tif 000008